(57)【要約】  メガネ用部材であって、使用者の頭部に装着されるフレームに着脱可能であって、フレームに装着された場合に、使用者の右目および左目の前方に配されるメガネ用部材であって、第１光学軸を有し、使用者の右目前方に位置する右目領域において偏光を変調する右目偏光変調層と、第１光学軸と異なる第２光学軸を有し、使用者の左目前方に位置する左目領域において偏光を変調する左目偏光変調層と、右目偏光変調層および左目偏光変調層の両方に跨がって積層され、右目領域および左目領域で延在方向が等しい吸収軸を有する偏光層と、フレームに対して装着する場合の左右の向きを示す標識部とを備える。
2016157331.tif 000002
【特許請求の範囲】
【請求項１】
使用者の頭部に装着されるフレームに着脱可能であって、前記フレームに装着された場合に、前記使用者の右目および左目の前方に配されるメガネ用部材であって、
第１光学軸を有し、使用者の右目前方に位置する右目領域において偏光を変調する右目偏光変調層と、
前記第１光学軸と異なる第２光学軸を有し、前記使用者の左目前方に位置する左目領域において偏光を変調する左目偏光変調層と、
前記右目偏光変調層および前記左目偏光変調層の両方に跨がって積層され、前記右目領域および前記左目領域で延在方向が等しい吸収軸を有する偏光層と、
前記フレームに対して装着する場合の左右の向きを示す標識部と
を備えるメガネ用部材。
【請求項２】
前記標識部は、前記右目領域および前記左目領域のいずれか一方に配される請求項１に記載のメガネ用部材。
【請求項３】
前記標識部には、左右方向について非対称な形状を有する記号が付される請求項１または２に記載のメガネ用部材。
【請求項４】
前記記号は、前記メガネ用部材に対するハーフカットにより形成される請求項３に記載のメガネ用部材。
【請求項５】
前記記号は、前記メガネ用部材の面方向について開環状パターンの集合により形成される請求項４に記載のメガネ用部材。
【請求項６】
前記標識部は、前記メガネ用部材の面方向について外側に向かって突出して形成される請求項１から５のいずれか一項に記載のメガネ用部材。
【請求項７】
請求項１から６のいずれか一項に記載のメガネ用部材と、前記メガネ用部材を取り付けるフレームとを備えるメガネ。
【請求項８】
前記メガネ用部材の一部に対して嵌合して前記フレームおよび前記メガネ用部材を相互に位置決めする嵌合部と、
前記フレームの前記メガネ用部材に対する向きが予め想定した向きと異なる場合に、前記嵌合部の嵌合を阻止する嵌合阻止部と
を有する請求項７に記載のメガネ。
【発明の詳細な説明】
【技術分野】
【０００１】
本発明は、メガネ用部材およびメガネに関する。
【背景技術】
【０００２】
使用者の右目の前面に位置する右目領域と左目の前面に位置する左目領域とが一体化された立体画像用のメガネがある（例えば、特許文献１参照）。
特許文献１  特開２０１４−１９９３０１号公報
【発明の概要】
【発明が解決しようとする課題】
【０００３】
しかしながら、上記メガネにおいては右目領域と左目領域が一体化しているので、フレームへの取り付け時に左右が分かりにくいという課題があった。
【課題を解決するための手段】
【０００４】
本発明の一態様においては、使用者の頭部に装着されるフレームに着脱可能であって、フレームに装着された場合に、使用者の右目および左目の前方に配されるメガネ用部材であって、第１光学軸を有し、使用者の右目前方に位置する右目領域において偏光を変調する右目偏光変調層と、第１光学軸と異なる第２光学軸を有し、使用者の左目前方に位置する左目領域において偏光を変調する左目偏光変調層と、右目偏光変調層および左目偏光変調層の両方に跨がって積層され、右目領域および左目領域で延在方向が等しい吸収軸を有する偏光層と、フレームに対して装着する場合の左右の向きを示す標識部とを備えるメガネ用部材が提供される。【０００５】
本発明の第２の態様においては、上記メガネ用部材と、メガネ用部材を取り付けるフレームとを備えるメガネが提供される。【０００６】
上記の発明の概要は、本発明の必要な特徴の全てを列挙したものではない。これらの特徴群のサブコンビネーションもまた、発明となりうる。
【図面の簡単な説明】
【０００７】
【図１】メガネ１００の斜視図である。
【図２】メガネ１００の分解斜視図である。
【図３】メガネ用部材１１０の層構造を示す分解斜視図である。
【図４】メガネ用部材１１０の正面図である。
【図５】メガネ１００の組み立てについて説明する図である。
【図６】識別表示１８２の部分拡大図である。
【図７】識別表示１８２の部分拡大図である。
【図８】識別表示１８２の部分断面図である。
【図９】識別表示１８２部分断面図である。
【図１０】メガネ２００の斜視図である。
【図１１】メガネ用部材２１０の正面図である。
【発明を実施するための形態】
【０００８】
以下、発明の実施の形態を通じて本発明を説明するが、下記の実施形態は請求の範囲にかかる発明を限定するものではない。また、実施形態の中で説明されている特徴の組み合わせの全てが発明の解決手段に必須であるとは限らない。
【０００９】
図１は、実施形態に係るメガネ１００の斜視図である。メガネ１００は、メガネ用部材１１０と、フレーム１６０とを備える。
【００１０】
メガネ用部材１１０は、右目領域１１２、左目領域１１４および標識部１８０を有し、入射光の偏光を変調して透過する材料で一体的に形成される。メガネ用部材１１０における右目領域１１２および左目領域１１４は、メガネ１００を装着する使用者の右目および左目にそれぞれ対応して配される。
【００１１】
標識部１８０は、メガネ１００の左右について片側に配される。図示の例では、標識部１８０が右目領域１１２の上辺から突出して配される。更に、標識部１８０には、識別表示１８２が、メガネ１００を装着する使用者に向かって表示される。
【００１２】
フレーム１６０は、嵌合突起部１６２を有し、メガネ用部材１１０の一部と嵌まり合うことにより、メガネ用部材１１０を着脱可能に保持する。メガネ用部材１１０が装着された状態で使用者の頭部に装着されることにより、メガネ１００の使用者の右目前方にメガネ用部材１１０の右目領域１１２が配されるとともに、使用者の左目前方にメガネ用部材１１０の左目領域１１４が配される。メガネ１００の一部としてのフレーム１６０は、例えば、株式会社モレーンコーポレーションが販売する「ビジエラＭｏｄｅｌ−７１２（商品名）」を用いることもできる。
【００１３】
図２は、メガネ１００の分解斜視図である。メガネ１００において、フレーム１６０は、前方に向かって突出する複数の嵌合突起部１６２を有する。また、メガネ１００において、メガネ用部材１１０は、嵌合突起部１６２と相補的な形状および配置で、複数の嵌合穴１１５を有する。これら、嵌合突起部１６２および嵌合穴１１５を相互に嵌め合うことにより、メガネ用部材１１０を、フレーム１６０に装着して保持させることができる。
【００１４】
嵌合突起部１６２は、湾曲したフレーム１６０の前面に沿って配されるので、全ての嵌合突起部１６２と嵌合穴１１５とが嵌まり合った場合、メガネ用部材１１０も、フレーム１６０の湾曲に沿って屈曲する。これにより、メガネ用部材１１０は、フレーム１６０に対して固定されると共に、高い曲げ剛性を有する状態になる。よって、メガネ１００のフレーム１６０が鼻パッド等の部材を備えていないにもかかわらず、メガネ用部材１１０自体の剛性により、メガネ用部材１１０がぶれない状態になる。
【００１５】
なお、メガネ用部材１１０をフレーム１６０から強く引き離した場合は、メガネ用部材１１０およびフレーム１６０の材料自体の弾性により、嵌合穴１１５から嵌合突起部１６２をひとつずつ引き抜くことができる。これにより、使用したメガネ用部材１１０をフレーム１６０から取り外して、他のメガネ用部材１１０と交換できる。このような構造により、メガネ１００は、例えば医療用の保護メガネとして使用できる。すなわち、使用毎にメガネ用部材１１０を交換することにより、メガネ１００を清浄な状態で使用し続けることができる。
【００１６】
また、上記の例では、フレーム１６０に嵌合突起部１６２を設け、メガネ用部材１１０に嵌合穴１１５を設けた。しかしながら、メガネ用部材１１０側に嵌合突起部１６２を設け、フレーム１６０に嵌合穴１１５を設けても、メガネ１００と同じ機能を実現できる。更に、嵌合突起部１６２および嵌合穴１１５の数、形状および配置が上記の形態に限定されないことはもちろんである。
【００１７】
図３はメガネ用部材１１０の模式的な分解斜視図であり、メガネ用部材１１０の光学的特性を明瞭に示す目的で、外形を四角形にして示している。図３においては、紙面奥側が使用状態における使用者に近い側となる。
【００１８】
メガネ用部材１１０は、偏光板１２０、粘着層１３０、および偏光変調層１４０を有する。偏光板１２０は、右目領域１１２および左目領域１１４に跨がって一体的に形成され、粘着層１３０により偏光変調層１４０に接着される。
【００１９】
上記のメガネ用部材１１０において、偏光板１２０は、例えば、偏光層と、当該偏光層を挟む一対の保護層とを有してもよい。偏光層は、例えばポリビニルアルコールにより形成でき、例えば４０μｍの厚さを有する。保護層は、トリアセチルセルロース（ＴＡＣ）フィルム、シクロオレフィン系のフィルム等により形成してもよい。
【００２０】
また、上記のメガネ用部材１１０において、偏光変調層１４０は、ベース層と、当該ベース上に配された配向膜および液晶層とを有してもよい。ベース層は、例えば、偏光板の保護層と同様の材料を用いて形成できる。また、ベース層は、光学的に等方性を有する他の材料により形成してもよい。ベース層の厚さは、例えば８０μｍである。ベース層に、更に、ハードコート層、反射防止層等を設けてもよい。
【００２１】
配向膜は、公知の光配向性化合物により、ベース層における右目領域１１２および左目領域１１４にそれぞれ形成される。配向膜は、紫外線等の直線偏光を照射された場合に、直線偏光の偏光方向に配向され、更に、積層された液晶層を自身の配向に従って配向させる。配向膜の厚さは、例えば０．１μｍである。
【００２２】
液晶層は、配向膜上に配された紫外線硬化性または熱硬化性の液晶ポリマーにより形成できる。液晶層は、配向膜の配向に沿って配向され、円偏光を直線偏光に変調して透過する。液晶層の厚さは、例えば１〜２μｍである。
【００２３】
上記構成により、メガネ用部材１１０を備えたメガネ１００は、立体画像観賞用に用いることができる。すなわち、立体画像表示装置から右目用画像と左目用画像とが互いに反対周りの円偏光が出力された場合に、右目領域１１２で右目用画像を透過するとともに左目用画像を遮断する。一方、左目領域１１４で左目用画像を透過するとともに右目用画像を遮断する。このような光学的構造に鑑みて、メガネ用部材１１０をフレーム１６０に装着して使用する場合には、メガネ用部材１１０の表裏が指定される。
【００２４】
図４は、メガネ１００のメガネ用部材１１０を単独で示す展開図である。図４は、メガネ１００を使用する場合に、メガネ１００を装着した使用者から見える面、即ち、使用者にとってメガネ１００におけるフレーム１６０の内側から描かれている。
【００２５】
メガネ用部材１１０は、使用者の使用状態において、使用者の右目の前面に位置する右目領域１１２と、左目の前面に位置する左目領域１１４とを有する。ただし、右目領域１１２および左目領域１１４は一体的に連続して形成されている。
【００２６】
メガネ用部材１１０において、標識部１８０は、右目領域１１２の上辺に沿って、右目領域１１２の面方向について上側に突出して設けられる。メガネ用部材１１０において、標識部１８０は、メガネ用部材１１０における標識部１８０以外の部分、即ち、メガネ用部材１１０から標識部１８０を取り除いた部分は、左右対称の外形を有する。
【００２７】
なお、メガネ用部材１１０において、標識部１８０は、メガネ用部材１１０における標識部１８０以外の部分に外接する、図中に点線で示す矩形Ｒの内側に位置してもよい。これにより、広いフィルムから切り抜いて複数のメガネ用部材１１０を製造する場合に、標識部１８０が無い場合と同じ面積の材料から同じ数のメガネ用部材１１０を切り抜くことができる。
【００２８】
前述したように、メガネ１００を使用する場合には、メガネ用部材１１０の表裏が指定される。ここで、メガネ用部材１１０の形状は、上下については全体に非対称な形状を有するので、使用者がメガネ用部材１１０をフレーム１６０に装着する場合に上下を間違えることはない。
【００２９】
また、メガネ用部材１１０は、図示の状態で右側に偏った位置に標識部１８０を有する。これにより、標識部１８０を除いた部分が概ね左右対称な形状を有するにもかかわらず、メガネ用部材１１０は、標識部１８０により、フレーム１６０に対して装着する場合の左右の向きを明確に区別できる。よって、使用者がフレーム１６０にメガネ用部材１１０を取り付ける場合に、標識部１８０を視認することにより、メガネ用部材１１０の左右の別を容易に識別できる。
【００３０】
更に、図示の例では、「右」を意味するアルファベットの「Ｒ」をモチーフとした識別表示１８２が、メガネ１００を装着する使用者の側に面して、標識部１８０に表示されている。よって、メガネ１００を使用者側から見た場合に、標識部１８０が設けられている側が、使用者から見て右側に位置すべきことが、取り扱い説明書等を読むことなく、直観的に理解される。これにより、標識部１８０が、メガネ用部材１１０の右側を示すのか、左側を示すのかを認識でき、メガネ用部材１１０の左右の別を確実に識別できる。なお、標識部１８０における識別表示１８２の表示は省いてもよい。その場合は、標識部１８０自体の有無により、メガネ用部材１１０の左右が区別される。
【００３１】
図５は、フレーム１６０にメガネ用部材１１０を取り付ける過程を示す図である。図１に示したように、フレーム１６０に取り付けられたメガネ用部材１１０は、フレーム１６０に沿って湾曲している。しかしながら、図５に示すように、フレーム１６０に取り付ける前のメガネ用部材１１０は湾曲していない。平坦なメガネ用部材１１０は、全ての嵌合穴１１５を嵌合突起部１６２に嵌合させる過程で湾曲する。
【００３２】
このため、フレーム１６０の嵌合突起部１６２とメガネ用部材１１０の嵌合穴１１５とがそれぞれ左右対称に形成されている場合は、メガネ用部材１１０の左右が入れ替わっても、フレーム１６０に装着することができる。メガネ用部材１１０の左右が入れ替わっている場合、メガネ１００を装着した使用者から見ると、メガネ用部材１１０の表裏が反対になり、立体映像を観察する場合に所期の光学特性が発揮されなくなる。
【００３３】
しかしながら、メガネ用部材１１０は、使用者から見て右側に配された標識部１８０を有する。また、標識部１８０には左右の別を示す識別表示１８２が表示される。よって、メガネ用部材１１０をフレーム１６０に取り付ける場合に、使用者から見た標識部１８０が右側に位置することが認識されていれば、メガネ用部材１１０の装着の向きを誤ることが確実に防止される。
【００３４】
また、標識部１８０に設けた識別表示１８２は、メガネ１００に組み立てて使用者に装着された状態において、使用者以外からも視認できる。よって、何らかの理由でメガネ用部材１１０のフレーム１６０に対する装着方向が誤っていた場合に、メガネ１００の使用方法を知らない他者が見て、メガネ用部材１１０の装着方向が誤っていることを指摘できる。
【００３５】
図６は、メガネ用部材１１０の標識部１８０に表示された識別表示１８２を拡大して示す部分拡大図である。図６には、図１に示したメガネ１００を装着した使用者側から見た識別表示１８２と、メガネ１００を通じて使用者が観察する映像の側から見た識別表示１８２とを併せて示す。
【００３６】
標識部１８０に識別表示１８２として示される文字「Ｒ」は、左右方向について非対称な形状を有する。よって、使用者側から見た場合と、映像側から見た場合とで、識別表示１８２の見え方が異なる。特に、映像側から見た場合に、識別表示１８２は、アルファベット「Ｒ」の鏡像として表示される。
【００３７】
よって、左右が反対になる向きでメガネ用部材１１０をフレーム１６０に取り付けようとした場合、メガネ用部材１１０を取り付ける作業者は、メガネ用部材１１０の向きが異なっていることを即座に認識できる。また、メガネ用部材１１０が、左右が反対になる向きでフレーム１６０に取り付けられている場合、メガネ１００の使用者は、メガネ用部材１１０の向きが異なっていることを即座に認識できる。
【００３８】
なお、識別表示１８２として表示されたアルファベット「Ｒ」においては、文字の上半分に形成される環状のパターンの一部が切断されている。これにより、識別表示１８２は、閉じた環状のパターンを含まない開環状パターンの集合として形成される。よって、識別表示１８２を、メガネ用部材１１０自体に入れた切り込み等により形成した場合であっても、くり貫部が発生せず、メガネ用部材１１０の切片が生じない。
【００３９】
図７は、標識部１８０に表示できる他の識別表示１８２を拡大して例示する部分拡大図である。図７には、図１に示したメガネ１００を装着した使用者側から見た識別表示１８２と、メガネ１００を通じて使用者が観察する映像の側から見た識別表示１８２とを併せて示す。
【００４０】
図７に示す標識部１８０においては、漢字の「右」をモチーフとした識別表示１８２が表示される。よって、メガネ１００の使用者側から見た場合に、標識部１８０が設けられている側が、使用者から見て右側に位置すべきことが直観的に理解される。
【００４１】
識別表示１８２としての文字「右」は、左右方向について非対称な形状を有する。よって、使用者側から見た場合と、映像側から見た場合とで見え方が異なる。特に、映像側から見た場合に、識別表示１８２は、アルファベット「右」の鏡像として表示されるので、メガネ用部材１１０の左右が異なることが判りやすい。左右が反対になる向きでメガネ用部材１１０をフレーム１６０に取り付けようとした場合も同様に判りやすい。
【００４２】
更に、識別表示１８２として表示された文字「右」においては、文字のした半分に形成された環状のパターンの一部が切断されている。これにより、識別表示１８２は、閉じた環状のパターンを含まない開環状パターンの集合として形成される。
【００４３】
なお、識別表示１８２が「Ｒ」または「右」等の文字に限られないことはもちろんである。また、識別表示１８２は、図形、色彩等により表示されてもよい。更に、標識部１８０に形成する識別表示１８２が一文字または単一の記号に限らないことはもちろんであり、品質表示、商品名、製造者名、取り扱い上の注意を識別表示１８２として標識部１８０に書き込んでもよい。
【００４４】
このように、標識部１８０は、メガネ用部材１１０の右目領域１１２および左目領域１１４のいずれか一方に配されてもよい。また、標識部１８０は、メガネ用部材１１０の外周に沿って、メガネ用部材１１０の面方向について外側に向かって突出して形成されてもよいし、メガネ用部材１１０の外周の一部を切り欠くことにより形成してもよい。ただし、標識部１８０および識別表示１８２により、メガネ１００としての視野を狭めないように配置を配慮することが好ましい。
【００４５】
図８は、標識部１８０における識別表示１８２の断面図である。図７に示す断面は、識別表示１８２を形成する線状のパターンのひとつと交差する断面を示す。
【００４６】
図示のように、識別表示１８２は、標識部１８０の厚さ方向に形成した切り込みにより形成される。このような切り込みは、メガネ用部材１１０の厚さよりも浅く切り込みを入れるハーフカット加工により形成できる。よって、メガネ用部材１１０を切り出す場合に使用する刃物に、識別表示１８２のパターンと同じ形状を有し、高さが異なる切り刃を設けることにより、メガネ用部材１１０の切り出し加工と同時に識別表示１８２を形成できる。
【００４７】
図９は、標識部１８０における他の識別表示１８２の断面図である。図９に示す断面は、識別表示１８２を形成する線状のパターンのひとつと交差する断面を示す。
【００４８】
図示の識別表示１８２は、標識部１８０に対するエンボス加工により形成される。これにより、切り粉、粉塵等を発生することなく、太い線で描かれた識別表示１８２を標識部１８０に形成できる。また、エンボス加工も、金型を用いたプレス加工により形成できるので、メガネ用部材１１０の切り抜きと略同じ設備により形成できる。
【００４９】
このように、標識部１８０に、更に、識別表示１８２を設けることにより、メガネ用部材１１０の左右の向きをより確実に認識させることができる。また、ハーフカット、エンボス等の方法により、塗装、印刷、貼付等の他の設備を用いることなく、メガネ用部材１１０の切り抜きまたは切り出しと同じ設備および工程で識別表示１８２を形成できる。
【００５０】
なお、ハーフカット加工およびエンボス加工により識別表示１８２を形成する例について説明したが、識別表示１８２の形成は、上記の方法に限定されない。例えば、識別表示１８２は、印刷、塗装、転写等により形成してもよい。また、シール、ステッカー等により識別表示１８２を形成してもよい。
【００５１】
図１０は、他の実施形態に係るメガネ２００の斜視図である。メガネ２００は、次に説明する部分を除くと、図１等に示したメガネ１００と同じ構造を有する。よって、メガネ２００と共通の要素には同じ参照番号を付して重複する説明を省く。メガネ２００は、メガネ用部材２１０と、メガネ用部材２１０を支持するフレーム２６０とを有する。
【００５２】
メガネ２００は、フレーム２６０に設けられた一部の嵌合突起部２６４、２６６の形状と、メガネ用部材２１０に設けられて、嵌合突起部２６４、２６６に対応する嵌合穴１１７、１１９の形状とにおいて、メガネ１００と異なる構造を有する。嵌合突起部２６４、２６６の形状については、図１０を参照して説明する。
【００５３】
図１１は、メガネ２００のメガネ用部材２１０を単独で示す展開図である。メガネ用部材２１０において、右目領域１１２に配された嵌合穴１１７は、フレーム２６０のひとつの嵌合突起部２６４と相補的な形状を有する。また、メガネ用部材２１０において、左目領域１１４に配された嵌合穴１１９は、フレーム２６０のひとつの嵌合突起部２６６と相補的な形状を有する。
【００５４】
ここで、メガネ用部材２１０の右目領域１１２に形成された嵌合穴１１７の全体の幅Ａは、メガネ用部材２１０の左目領域１１４に配された嵌合穴１１９の幅Ｂよりも広い。また、嵌合穴１１７の幅方向中央には、嵌合穴１１７の内側を径方向に結ぶブリッジ部１１３が図に示した状態で縦に設けられる。なお、図１０に示すように、嵌合穴１１７に対応する嵌合突起部２６４には、ブリッジ部１１３と相補的な位置に、溝２６５が設けられている。
【００５５】
このため、メガネ２００において、メガネ用部材２１０を、左右方向について、予め想定された向きと異なる向きでフレーム２６０に取り付けようとした場合、中央がブリッジ部１１３により塞がれた嵌合穴１１７に、嵌合突起部２６６を嵌めることはできない。また、狭い幅Ｂを有する嵌合穴１１９に、全体の幅Ａが広い嵌合突起部２６４を嵌めることはできない。
【００５６】
このように、メガネ２００においては、一部の嵌合突起部２６４、２６６および嵌合穴１１７、１１９が、フレーム２６０とメガネ用部材２１０との嵌合を阻止する嵌合阻止部を形成する。これにより、予め想定された向きと異なる向きでメガネ用部材２１０を装着しようとした場合に間違った向きでメガネ用部材２１０をフレーム２６０に取り付けることを未然に防止できる。
【００５７】
上記のように、メガネ２００においては、嵌合突起部２６４、２６６および嵌合穴１１７、１１９を含む嵌合阻止部により、メガネ用部材２１０が誤った向きでフレーム２６０に装着されることはない。このような嵌合阻止部をメガネ２００に形成した場合は、メガネ用部材２１０の標識部１８０を省略してもよい。これにより、メガネ用部材２１０の形状を簡潔にして、切り出し加工の金型を造りやすくすることもできる。
【００５８】
一方、嵌合阻止部を有するメガネ２００に使用するメガネ用部材２１０にも、メガネ用部材２１０の向きを示す、識別表示１８２を含む標識部１８０を設けた場合は、使用者が、当初よりメガネ用部材２１０の正しい向きを認識しやすい。よって、メガネ用部材２１０のフレーム２６０への装着が、嵌合突起部２６４、２６６および嵌合穴１１７、１１９を含む嵌合阻止部により妨げられる回数を軽減して、メガネ用部材２１０のフレーム２６０に対する取り付けを迅速に完了できる。
【００５９】
なお、この実施形態においても、メガネ用部材２１０側に嵌合突起部２６４、２６６を設け、フレーム２６０に嵌合穴１１７、１１９を設けても、図示のメガネ２００と同じ機能を実現できる。また、嵌合突起部２６４、２６６および嵌合穴１１７、１１９の数、形状および配置が上記の形態に限定されないことはもちろんである。
【００６０】
ここまでに例示したメガネ用部材１１０、２１０では、標識部１８０を、右目領域１１２の上辺から突出するように設けた。しかしながら、標識部１８０の配置は、右目領域１１２の上側に限られるわけではない。メガネ１００を使用する使用者の視界を遮らない位置であれば、標識部１８０は、メガネ用部材１１０の周縁に沿っていかなる場所に設けてもよい。よって、標識部１８０は、例えば、メガネ用部材１１０の側部に設けてもよいし、下部に設けてもよい。また、左目領域１１４に標識部１８０を設けてもよい。
【００６１】
なお、メガネ用部材１１０において標識部１８０の配置および形状が上記の例と異なる場合であっても、右目領域１１２および左目領域１１４が内接する矩形Ｒの内側に標識部１８０を配することが好ましい。これにより、標識部１８０を設けたことによる材料の利用効率低下を防止できる。
【００６２】
また、標識部１８０の形状も図示の形状に限らない。例えば、標識部１８０の形状自体を、左右または表裏を表す文字、記号等を表示または示唆するものとしてもよい。また、右目領域１１２および左目領域１１４の形状、例えば角の丸みを相互に異ならせて標識部１８０を形成してもよい。更に、標識部１８０は、メガネ用部材１１０から突出した形状に限られず、メガネ用部材１１０の周縁から内側に切り込んだ形状であってよいし、陥没部等であってもよい。
【００６３】
更に、標識部１８０自体の構造も上記の例に限定されず、例えば、いったん左右対称な形状で製造した右目領域１１２および左目領域１１４に対して、別工程で標識部１８０を付加してもよい。標識部１８０の材料も、右目領域１１２および左目領域１１４と同じ材料でもよいし、他の材料であってもよい。また、標識部１８０の取り付け方法としても、標識部１８０に設けた粘着層により貼り付けてもよいし、接着、熱融着等により固定してもよい。
【００６４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、請求の範囲の記載から明らかである。
【００６５】
請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。請求の範囲、明細書、および図面中の動作フローに関して、便宜上「まず、」、「次に、」等を用いて説明したとしても、この順で実施することが必須であることを意味するものではない。
【符号の説明】
【００６６】
１００、２００  メガネ、１１０、２１０  メガネ用部材、１１３  ブリッジ部、１１５、１１７、１１９  嵌合穴、１１２  右目領域、１１４  左目領域、１２０  偏光板、１３０  粘着層、１４０  偏光変調層、１６０、２６０  フレーム、１６２、２６４、２６６  嵌合突起部、１８０  標識部、１８２  識別表示、２６５  溝
【図１】
2016157331.tif 000003
【図２】
2016157331.tif 000004
【図３】
2016157331.tif 000005
【図４】
2016157331.tif 000006
【図５】
2016157331.tif 000007
【図６】
2016157331.tif 000008
【図７】
2016157331.tif 000009
【図８】
2016157331.tif 000010
【図９】
2016157331.tif 000011
【図１０】
2016157331.tif 000012
【図１１】
2016157331.tif 000013
【国際調査報告】
2016157331.tif 000014
2016157331.tif 000015
2016157331.tif 000016
2016157331.tif 000017